(57)【要約】【課題】 本発明は、ユーザにふさわしいコンテンツを受信してユーザに癒しを与えることができるコンテンツ受信システムに関する。【解決手段】  受信装置が受信したコンテンツに対するユーザの嗜好評価と、ユーザの再生操作によりユーザの評価を行って一次の選別を行い、次ぎに端末用の受信装置毎に予め設定された所定の傾向を持ったコンテンツの選別要素に基づいて２次の選別を行って受信装置が受信するコンテンツの受信リストを作成してなることを特徴とする。【選択図】  図１
2008097313.tif 000002
【特許請求の範囲】
【請求項１】
音楽などの音声情報その他のコンテンツ毎にその属性に対応したキーワードなどのメタデータと格納先のコンピュータのアドレスデータなどからなる索引データを配信用データベースに記録し、索引データを各端末用の受信装置に配信するサーバ用コンピュータと、
上記配信された索引データを基に、選択したメタデータに関連づけられたアドレスに接続して格納先のコンピュータからコンテンツを受信しうる各端末用の受信装置とからなり、
受信装置が受信したコンテンツに対するユーザの嗜好評価を入力する受信装置に設けられた嗜好入力部と、
該嗜好入力部で入力されたユーザの嗜好評価の履歴を記録する受信装置に設けられた嗜好評価情報記録部と、
受信したコンテンツに対するユーザの再生操作を入力する受信装置に設けられた操作入力部と、
該操作入力部で入力されたユーザの再生操作を記録する操作履歴情報記録部と、
上記嗜好評価情報記録部と操作履歴情報記録部に蓄積されたデータを基に、ユーザ評価の高いキーワードなどのメタデータを判定するユーザ評価判定手段と、
判定されたメタデータを用いて前記索引データを抽出して得られたコンテンツのメタデータとその格納先のアドレスを記載したリストを作成するリスト作成手段と、
端末用の受信装置毎に予め所定の傾向を持ったコンテンツの選別要素を設定しておき、上記選別要素に基づいて前記リストを更に抽出して、受信装置が受信する受信リストを作成する受信リスト作成手段とからなっており、
作成された受信リストを基に、前記コンテンツの格納先のコンピュータからコンテンツを受信装置に受信してなることを特徴とするコンテンツ受信システム。
【請求項２】
受信装置に設定される選別要素が、一定の嗜好の傾向およびまたは規則的に可変する嗜好の傾向を有するキーワードからなっていることを特徴とする請求項１に記載のコンテンツ受信システム。
【請求項３】
配信サーバが端末に配信するために選択するコンテンツは、予め提供者によって配信サーバのデータベースに記録されており、
上記各コンテンツには、前記メタデータには、コンテンツが端末に配信される際に端末のディスプレイに表示される報知情報が関連づけて記録されていることを特徴とする請求項１または２に記載のコンテンツ受信システム。
【発明の詳細な説明】
【技術分野】
【０００１】
本発明は、電子ネットワークを利用して、音楽などの音声情報その他のコンテンツを、それぞれのサイトから端末用の受信装置（ロボット）にダウンロードして再生し、ユーザに癒しを与えることができるコンテンツ受信システムに関する。
【背景技術】
【０００２】
従来の音楽データや映像データなどのコンテンツ配信サービスにおいては、ユーザは、コンピュータを利用してコンテンツデータの配信サーバと接続し、該配信サーバに蓄積されているコンテンツデータの中から所望のデータを選択し、ダウンロードを要求する。
この際にユーザの嗜好するアーティストやジャンル、テーマ、コンテンツ提供者、発表年などを予めキーワードやメタデータとして設定し、または特開２００１−８６４２０号公報に示すようにユーザの操作（再生）履歴から推論することで、ユーザの嗜好に合わせたコンテンツデータを選択することができる。
コンテンツ配信サーバは、ユーザから所定のコンテンツのダウンロード要求を受けると、ダウンロード要求されたコンテンツデータを検索し、電子ネットワークを利用してコンテンツデータをユーザに対して転送する。
コンテンツデータが転送されると、ユーザは、コンテンツデータをコンピュータのハードディスクに保存し、所定の再生手段によってコンテンツデータを再生して楽しむことができる。
【特許文献１】特開２００１−８６４２０号公報
【発明の開示】
【発明が解決しようとする課題】
【０００３】
ところが、このような従来のコンテンツ配信サービスでは、サーバが全てのコンテンツを格納するため大容量のデータベースが必要となり、大勢のユーザによるアクセスが集中すると、処理に時間がかかるという問題点がある。
また、選択するコンテンツは、ユーザが嗜好するキーワードなどのメタデータに基づいたコンテンツに限られるため、選択結果に意外性が無く、また、再生時におけるユーザの操作の癖も考慮されることが無いので、ユーザは想定内の楽しみしか得られず、癒し効果に乏しいという欠点があった。
【０００４】
本発明はこうした技術的課題を解決すべくなされたものであり、その目的は、ユーザの嗜好だけでなくコンテンツ鑑賞時における操作の癖に合った、現在のユーザにとって最適なコンテンツを迅速に受信し、再生することができるコンテンツ受信システムを提供することにある。
【課題を解決するための手段】
【０００５】
この発明は上記課題を解決するために、請求項１の発明では、
音楽などの音声情報その他のコンテンツ毎にその属性に対応したキーワードなどのメタデータと格納先のコンピュータのアドレスデータなどからなる索引データを配信用データベースに記録し、索引データを各端末用の受信装置に配信するサーバ用コンピュータと、
上記配信された索引データを基に、選択したメタデータに関連づけられたアドレスに接続して格納先のコンピュータからコンテンツを受信しうる各端末用の受信装置とからなり、
受信装置が受信したコンテンツに対するユーザの嗜好評価を入力する受信装置に設けられた嗜好入力部と、
該嗜好入力部で入力されたユーザの嗜好評価の履歴を記録する受信装置に設けられた嗜好評価情報記録部と、
受信したコンテンツに対するユーザの再生操作を入力する受信装置に設けられた操作入力部と、
該操作入力部で入力されたユーザの再生操作を記録する操作履歴情報記録部と、
上記嗜好評価情報記録部と操作履歴情報記録部に蓄積されたデータを基に、ユーザ評価の高いキーワードなどのメタデータを判定するユーザ評価判定手段と、
判定されたメタデータを用いて前記索引データを抽出して得られたコンテンツのメタデータとその格納先のアドレスを記載したリストを作成するリスト作成手段と、
端末用の受信装置毎に予め所定の傾向を持ったコンテンツの選別要素を設定しておき、上記選別要素に基づいて前記リストを更に抽出して、受信装置が受信する受信リストを作成する受信リスト作成手段とからなっており、
作成された受信リストを基に、前記コンテンツの格納先のコンピュータからコンテンツを受信装置に受信してなることを特徴とする。
また、請求項２の発明では、
前記受信装置に設定される選別要素が、一定の嗜好の傾向およびまたは規則的に可変する嗜好の傾向を有するキーワードからなっていることを特徴とする。
更に、請求項３の発明では、
配信サーバが端末に配信するために選択するコンテンツは、予め提供者によって配信サーバのデータベースに記録されており、
上記各コンテンツには、前記メタデータには、コンテンツが端末に配信される際に端末のディスプレイに表示される報知情報が関連づけて記録されていることを特徴とする。
【発明の効果】
【０００６】
このコンテンツ受信システムによれば、サーバ用コンピュータは、コンテンツの属性データとして、キーワードなどのメタデータと格納先のアドレスからなる索引用のデータを各端末用の受信装置に配信するだけであるので、各端末用の受信装置は選択したコンテンツデータの格納先のアドレスに直接接続してコンテンツデータをダウンロードするので、サーバ用コンピュータにアクセスが集中することがなく、迅速な処理を行うことができる。
また、各端末用の受信装置では、それぞれのユーザ毎の嗜好だけに限らず、受信装置毎に設定された選別要素によって、キーワードなどのメタデータを決定してコンテンツデータを選択することができ、変化に富んだユーザに最適なテレビまたはラジオロボットとして利用することができる。
【発明を実施するための最良の形態】
【０００７】
以下に、この発明のコンテンツ受信システムの好適実施例について、図面を参照しながら説明する。
このシステムは、音楽などの音声情報その他のコンテンツの情報を受信装置２０に配信するサーバ用コンピュータ１０と、該サーバ用コンピュータ１０にインターネット等のコンピュータネットワークを介して接続されるコンピュータ構成の端末用の受信装置２０と、前記コンテンツデータをメモリに格納し、前記端末用の受信装置２０のアクセスによってコンテンツデータをダウンロードさせるコンテンツ格納用コンピュータ３０とからなっている。
【０００８】
［サーバ用コンピュータ］  
サーバ用コンピュータ１０は、コンテンツ格納用のコンピュータ３０から提供の申し込みのあったコンテンツデータについて、識別番号を付与する。
この識別番号毎に、コンテンツの内容や属性に基づいてキーワードなどのメタデータが設定された索引データが作成される。
【０００９】
本実施例では、コンテンツに対応するメタデータは所定の項目に設定されることが好ましく、キーワードなどのメタデータはコンテンツの提供者側がその全部または一部を付与し、不足する場合はサーバ側で補充するが、サーバ側で全てのメタデータを付与するようにしてもよい。
【００１０】
［コンテンツのメタデータ］
本実施例の場合、索引データとして記録されるコンテンツのメタデータは、（１）内容、（２）深さ、（３）硬さ、（４）重さ、（５）評判の項目を有しているが、この発明では上記分類に限定されるものではない。
【００１１】
（１）内容
登録したキーワードによって形成されるもので、キーワードによる検索で、選定することができる。
【００１２】
（２）深さ
コンテンツ提供者の自己申告によって形成される。
例えば、「紹介」、「概論」、「総論」、「詳細」、「専門」の５段階に分けることができる。
（３）硬さ
コンテンツ提供者の自己申告によって形成される。
例えば、「真面目」、「普通」、「気楽」の３段階に分けることができる。
【００１３】
（４）重さ
コンテンツ提供者の自己申告によって形成される。
例えば、「思考型」、「普通」、「娯楽型」の３段階に分けることができる。
（５）評判
端末用の受信装置のユーザの評価によって形成される。
例えば、「人気」、「好評」、「未評価」、「不評」、「悪評」の５段階に分けることができるが、変更可能である。
【００１４】
また、コンテンツデータの格納先のコンピュータ３０とアクセスするためのアドレス（ＵＲＬ）も記録される。
あるいは、コンテンツ提供者用のデータベースやテーブルを別途作成し、メタデータには提供者コードを記録しておき、選択された提供者コードから上記データベースやコード変換テーブルを呼び出してコンテンツ提供者のアドレスを入手するようにしてもよい。
【００１５】
このようにして、サーバ用コンピュータ１０は、識別番号にキーワードなどのメタデータが関連づけられた索引データを作成し、サーバ用コンピュータ１０の配信用データベースに蓄積していく。
この索引データは、各端末用の受信装置２０との接続により端末用の受信装置２０のメモリＭにダウンロードされ、接続毎に最新のデータに書き換えられる。
【００１６】
［端末用の受信装置］
端末用の受信装置２０は、前記サーバ用コンピュータ１０から送信された索引データ（後述の受信リスト）をメモリＭに記録し更新する受信リスト記録部２１と、索引データに基づいて後述の手順で選択したコンテンツをコンテンツ格納用コンピュータ３０のアドレスに接続して端末用の受信装置２０のメモリＭに格納するコンテンツ受信手段２２と、受信したコンテンツを再生する再生手段２３とを有している。
ここで受信装置は、コンピュータ構成の端末として利用可能であればいかなる構造のものであってもよい。
【００１７】
また、端末用の受信装置２０には、前記受信したコンテンツの識別番号と索引データ（全部または判定用キーワードなどの一部であってもよい）を記録するコンテンツ受信履歴記録部２４と、受信したコンテンツに対するユーザの嗜好評価を入力する嗜好入力部２５と、該嗜好入力部２５で入力されたユーザの嗜好評価の履歴を記録する嗜好評価情報記録部２６と、受信したコンテンツに対するユーザの再生操作を入力する操作入力部２７と、該操作入力部２７で入力されたユーザの再生操作を記録する操作履歴情報記録部２８とを有している。
【００１８】
そして、サーバ用のコンピュータ１０は、まず、前記受信装置２０の嗜好評価情報記録部２６に蓄積されたデータと前記操作履歴情報記録部２８に蓄積されたデータを受信して、ユーザ評価の高いキーワードなどのメタデータをユーザ評価判定手段Ｈ１によって判定する。
【００１９】
そして、判定されたキーワードを用いて、前記索引データを検索して、該当するキーワードを有するコンテンツのメタデータを抽出し、そのコンテンツの格納先のアドレスと共に一次リストを作成する。
【００２０】
一方、端末用の受信装置２０には、予め各受信装置２０毎に所定の傾向を持ったコンテンツの選別要素が設定される。
この受信装置２０毎の選別要素は、サーバ用のコンピュータ１０に記録されており、サーバ用のコンピュータ１０に設けられた受信リスト作成手段Ｈ２により、上記選別要素に基づいて、各受信装置２０毎に前記一次リストを更に検索して、各受信装置２０が受信する個別の受信リストを作成する。
【００２１】
このようにして作成された受信リストは、それぞれの受信装置２０毎に配信される。
この受信リストを受信した受信装置２０では、受信リストに基づいて、前記コンテンツの格納先のコンピュータ３０からコンテンツを受信装置２０のメモリＭにダウンロードしておき、ユーザの操作をまって再生を行う。
【００２２】
以下に、上記構成の一例を具体的に説明する。
「コンテンツの分類」
本実施例では、端末用の受信装置２０の制御部２０Ａでは、第１にコンテンツの分類を行う。
分類の基準として、（１）登録時期による分類、（２）内容による分類、（３）提供者による分類、（４）評価による分類を行う。
【００２３】
（１）登録時期による分類
配信された索引データのメタデータにはコンテンツの発表時期のデータが記録されており、該コンテンツの発表時期から、当該コンテンツが新規作品か、過去の作品かを分類する。
この分類によって、ユーザが過去の作品を好む傾向がある場合に、優先して過去の作品を選択することが可能になる。
【００２４】
（２）内容による分類
内容については、本実施例では、コンテンツの提供者が設定した内容キーワードによっているが、サーバ側で客観的に付与し、あるいは提供者の設定した内容キーワードを訂正できるようにしてもよい。
【００２５】
（３）提供者による分類
提供者の知名度や評価、ユーザの先入観などが、コンテンツの選別に影響を与えることがあり、コンテンツの提供者による分類を行う。
【００２６】
（４）評価による分類
評価は、コンテンツの提供者（サーバの管理者でもよい）により評価された自己評価と、端末のユーザ（視聴者評価）による評価の２種類がある。
自己評価として、前述のように、コンテンツの内容の深さ、コンテンツの硬さ、コンテンツの重さなどの評価基準が設定されている。
【００２７】
ユーザによる評価は、（ａ）操作評価、（ｂ）回答評価に分かれる。
操作評価は、コンテンツを再生時に端末用の受信装置２０に設けられた操作入力部２７によるキー操作により自動的に評価される。
操作入力部２７のキーには、「スキップ」「リプレイ」「一時停止」「停止」（「ＮＯＡＣＴＩＯＮ」）があり（図２参照）、コンテンツ毎にそれぞれの操作が操作履歴情報記録部２８に記録される。
【００２８】
回答評価は、コンテンツを再生時に端末用の受信装置２０に設けられた嗜好入力部２５によるキー操作により評価される。
嗜好入力部２５のキーには「とても良い」「良い」「普通」「良くない」「悪い」があり、５段階評価され（図２参照）、コンテンツ毎にそれぞれの評価が嗜好評価情報記録部２６に記録される。
【００２９】
［ユーザの反応］
次ぎに、端末のユーザがコンテンツを再生した時のリアクションが、端末用の受信装置２０のメモリＭに記録される。
記録されるリアクションは、（１）返信反応、（２）操作反応、（３）評価反応の３つである。
【００３０】
（１）返信反応
コンテンツの内容に対して回答を要求する場合
応用として、クイズ問題の回答やアンケートの回答などに利用できる。
基本的に回答結果はユーザに公開される。
【００３１】
（２）操作反応
コンテンツを再生して聴取または視聴しているときの操作が記録される。
端末用の受信装置２０には前述のように「スキップ」「リプレイ」「一時停止」「停止」(「ＮＯＡＣＴＩＯＮ」)の４種類のキーが設定されており、これらのキー操作が記録され操作評価として用いられる。
【００３２】
（３）評価反応
コンテンツの再生が終了してユーザが聴取または視聴を完了してからの評価が記録される。
端末用の受信装置２０に前述のように「とても良い」「良い」「普通」「良くない」「悪い」のキーが設けられており、コンテンツに対して５段階が記録され、回答評価に用いられる。
【００３３】
［端末用の受信装置の個性付け］  
端末用の受信装置２０は、ユーザに応じてそれ自体個性付けして、端末が受信するコンテンツの選別に用いることができる。個性づけの方法として本実施例では規則性のある占いを用いているが、一定の操作の傾向を有するなどの他の基準であってもよい。
まず、端末用の受信装置を人格化して分類する。
【００３４】
分類方法の一例として以下のものがあるが、この発明ではこの分類方法に限定されるものではない。
（ａ）血液型による分類  コンテンツを選別する際の「深さ」を決定する。
（ｂ）性別による分類    追加されるキーワードとなる。
（ｃ）誕生日による分類  選別する際の「硬さ」「評判」「重さ」を決定する。
ここでの情報は、ユーザの個人情報を用いてもよいし、ユーザと相性が最も合うもの、またはユーザが選択したものを用いてもよい。
【００３５】
（ａ）血液型による分類
Ａ型、Ｏ型、Ｂ型、ＡＢ型の４つの血液型に分類し、「深さ」を決定する。
一例を示せば、Ａ型の場合、物事の選択を「広く」「浅く」行う傾向があり、対応するコンテンツの深さは、「一般論」「概論」「紹介」とする。
Ｂ型の場合は、物事の選択を「狭く」「深く」行う傾向があり、対応するコンテンツの深さは、「専門」「独自」「特別」である。
【００３６】
（ｂ）性別による分類
性別、性格によって、コンテンツを選別する際に追加するキーワードを決定する。
女性（例えば内向的とする、以下同じ）と男性（外向的）、猫科（気まぐれ）と犬科（忠実）のように分け、これらを組み合わせ、猫科の女性、犬科の女性、猫科の男性、犬科の男性のように分類する。
【００３７】
これらの分類に基づいて、コンテンツを選別する際のキーワードを追加する。
例えば猫科の女性の場合は、「家庭」「ファッション」「育児」のキーワードを追加し、犬科の男性の場合は、「国際」「料理」「政治」のキーワードを追加するなどである。
【００３８】
（ｃ）誕生日による分類
誕生日に基づくバイオリズムによって、コンテンツの選別基準としての「重さ」を決定する。
例えば、誕生日をもとに、コンテンツを鑑賞する日の身体リズムでは「硬さ」、感情リズムでは「評判」、知性リズムでは「重さ」を決定する。
一例をあげれば、鑑賞日の身体リズムが低調域のときは、「硬さ」は「気楽」とする。  感情リズムが高調域のときは、「評判」は「人気、好評」とする。また、知性リズムが「低→高」のときは「重さ」は「普通」とする。
【００３９】
［受信選定基準］
本実施例では、端末用の受信装置２０の制御部２０Ａが受信するコンテンツを選定する際の基準として、（１）内容に合う候補の選出、（２）端末用の受信装置の状態指数計算、（３）選別リストの３段階の基準を用いる。
（１）内容に合う候補の選出
基本キーワードと、追加キーワードとにより索引データの全文検索を行い、その結果一覧リストを作成する。
ここで基本キーワードは、ユーザの嗜好性から判定されたキーワードであるが、ユーザが個別に入力したキーワードや、端末が設定したキーワードなどであってもよい。
【００４０】
（２）端末用の受信装置の状態指数計算
前記端末の血液型とバイオリズムによって決定された「深さ」「重さ」「硬さ」「評判」の各要素をもとに状態指数が決定される。
（３）選別リスト
上記状態指数により、前記キーワードで抽出された一覧リストをフィルタリングして、当該端末用の受信装置が受信するコンテンツを決定する。
【００４１】
上記実施例におけるコンテンツの分類や評価、受信装置の個性付けは一例を示すものでありって、この発明は上記実施例に限定されるものではない。
また、この実施例では、リスト作成手段と受信リスト作成手段とをサーバ用のコンピュータで行ったが、その一方または双方を受信装置側で処理する構成としてもよい。
【００４２】
更に、コンテンツ提供者は、自己のコンテンツのメタデータに、該コンテンツが端末の受信装置にダウンロードされて再生される際に端末の受信装置２０のディスプレイＤに表示される報知情報（例えば、商品情報など）が関連づけて記録されるアフィリエート構成となっていてもよい。
その他、この発明は、用途に応じて適宜設計変更しうるものであること勿論である。
【図面の簡単な説明】
【００４３】
【図１】本発明のシステムを示すブロック図である。
【図２】端末用の受信装置のキーボードを示す正面図である。
【符号の説明】
【００４４】
１０    サーバ用コンピュータ
２０    端末用の受信装置
２０Ａ  制御部
２１    受信リスト記録部
２２    コンテンツ受信手段
２３    再生手段
２４    コンテンツ受信履歴記録部
２５    嗜好入力部
２６    嗜好評価情報記録部
２７    操作入力部
２８    操作履歴情報記録部
Ｈ１    嗜好判定手段
Ｈ２    受信リスト作成手段
【図１】
2008097313.tif 000003
【図２】
2008097313.tif 000004